(57)【要約】【課題】給送テーブルの傾動姿勢などの変化に拘わらず、原稿検知が可能であると共に、この検知を構成の複雑化や部品点数の増加を招くことなく可能にすることができる構成を備えた原稿搬送装置を提供する。【解決手段】傾動可能な給送テーブル１と、該給送テーブル１に載置される原稿Ｓを検知する検知手段５１と、給送テーブル１に載置されている原稿Ｓを原稿読み取り部に向け搬送してから排出する搬送手段８〜１１とを備えた原稿搬送装置１００において、前記給送テーブル内には、該原稿搬送装置本体側に設けられている光学センサ５１の光出射部５１Ａおよび光入射部５１Ｂに連続する導光路５０が設けられ、前記給送テーブル１の一部には、前記導光路５０および原稿Ｓからの光を透過させる光透過部が設けられていることを特徴としている。【選択図】図２
2012180214.tif 000002
【特許請求の範囲】
【請求項１】
傾動可能な給送テーブルと、該給送テーブルに載置される原稿Ｓを検知する検知手段と、給送テーブルに載置されている原稿Ｓを原稿読み取り部に向け搬送してから排出する搬送手段とを備えた原稿搬送装置において、
前記給送テーブル内には、該原稿搬送装置本体側に設けられている光学センサの光出射部および光入射部に連続する導光路が設けられ、
前記給送テーブルの一部には、前記導光路および原稿Ｓからの光を透過させる光透過部が設けられていることを特徴とする原稿搬送装置。
【請求項２】
前記光学センサの光出射部および光入射部の並び方向が前記給送テーブル上での原稿移動方向に平行させてあることを特徴とする請求項１記載の原稿搬送装置。
【請求項３】
前記導光路が、前記光学センサからの光を前記給送テーブル側の光透過部に導くと共に原稿Ｓからの反射光を光学センサに導くことができる光路を構成する複数の反射ミラーで構成されていることを特徴とする請求項１または２記載の原稿搬送装置。
【請求項４】
前記導光路が、前記光学センサの光出射部および光入射部と前記給送テーブル側の光透過部との間に設けられている光ファイバーで構成されていることを特徴とする請求項１または２記載の原稿搬送装置。
【発明の詳細な説明】
【技術分野】
【０００１】
本発明は、原稿搬送装置に関し、さらに詳しくは、原稿を検知する検知手段における電装部品の損傷防止機構に関する。
【背景技術】
【０００２】
複写機やプリンタあるいは印刷機などの画像形成装置においては、原稿走査部に導入された原稿を走査し、画像情報に変換した上で画像形成処理が行われる。
原稿走査部には、原稿給送テーブルおよびこの給送テーブルに搭載された原稿を光学的に読み取る原稿読み取り部そして読み取り後の原稿が排出される原稿排出トレイを備え、給送テーブル上の原稿を一枚に分離した状態で原稿読み取り部に移動させて原稿排紙トレイに向け排出させるための原稿排出装置が設けられている。
【０００３】
原稿が給送テーブル上にセットされて画像形成指令が出されると、原稿の種別が、幅方向での一端縁あるいは搬送方向後方側端縁の位置を検知され、原稿サイズに応じて記録紙サイズの選択が行われて原稿が原稿搬送手段によって搬送を開始される。
【０００４】
原稿サイズの検知には、原稿の幅方向端縁あるいは搬送方向後端縁の位置に応じて変化する摺動位置によって得られる電気抵抗値を読み取るスライダックなどが給紙トレイ内に設けられた構成や、給紙トレイの一部に透明部を設けて給紙トレイ内に配置された反射型光学センサを設けた構成がある（例えば、特許文献１）。
上記構成においては、いずれも電源からの給電が必要な部材を用いることから電源と各部材との間の配線が必要となる。
【０００５】
ところで、給紙テーブルには、固定された構成だけではなく、搬送経路でのジャム解消のため、あるいは、原稿の自重落下を促進させて搬送方向前端縁の位置決めを容易化するために可動構造とした構成がある。つまり、前者の場合には、給紙トレイを原稿給送時の姿勢に対して揺動させて原稿載置面の下方に位置する原稿排紙トレイを外部に露呈させる構成があり、後者の場合には、段階的な傾動姿勢にて固定する構成がある。
【０００６】
このような構成においては、給送トレイの揺動支点側に各部材からの配線が纏められている場合、給送トレイの揺動に際して連れ動くことになり、いわゆる、配線の延長方向に対してほぼ直角な方向への曲げ作用が生じる。このため、曲げ回数を多くなると、配線の一部に繰り返し荷重が作用して断線などの損傷を来す虞がある。
【０００７】
そこで、配線を必要とする部材を給送トレイ側ではなく、不動部である原稿搬送装置本体側に設け、検知機構を給送トレイ側の原稿により作動させる構成が提案されている（例えば、特許文献1）。
特許文献１には、給送トレイ表面に突出して原稿により押し動かされる検知アクチュエータと、検知アクチュエータが押し動かされた際に、そのアクチュエータの動きを原稿搬送装置側に位置する光学センサでの光路遮断のために伝達するための伝達部材とリンク機構に連動可能で光路への進退が可能な光路遮断部材とを備えた構成が開示されている。また、光路遮断部材を用いる代わりに検知アクチュエータを用いて光路の遮断を行うようにする構成も開示されている。
【発明の概要】
【発明が解決しようとする課題】
【０００８】
上述した原稿検知のための構成では、給送トレイ内に配線が存在しないことから、存在させた場合の不具合が解消できる反面、次のような問題がある。
つまり、給送トレイ表面に突出する部材に加えて光学センサの光路遮断を行うための動作を伝達する構成であることから、構成が複雑化すると共に、用いる部品点数が多くなり、組み付け等に要する作業が繁雑となる。
【０００９】
また、給送トレイの構成が段階的な傾動姿勢を設定できる場合には、給送トレイの表面に突出している検知アクチュエータの突出位置が原稿と対応しなくなることもあり、これにより原稿の検知が不能となる虞がある。これを解消するには、ユーザによる検知装置の位置決めが必要となることもあり、複写作業などの作業性が悪化する。
【００１０】
本発明の目的は、上記従来の原稿搬送装置における問題に鑑み、給送テーブルの傾動姿勢などの変化に拘わらず、原稿検知が可能であると共に、この検知を構成の複雑化や部品点数の増加を招くことなく可能にすることができる構成を備えた原稿搬送装置を提供することにある。
【課題を解決するための手段】
【００１１】
この目的を達成するため、本発明は次の構成よりなる。
（１）傾動可能な給送テーブルと、該給送テーブルに載置される原稿を検知する検知手段と、給送テーブルに載置されている原稿を原稿読み取り部に向け搬送してから排出する搬送手段とを備えた原稿搬送装置において、
前記給送テーブル内部には、該原稿搬送装置本体側に設けられている光学センサの光出射部および光入射部に連続する導光路が設けられ、
前記給送テーブルの一部には、前記導光路および原稿からの光を透過させる光透過部が設けられていることを特徴とする原稿搬送装置。
【００１２】
（２）前記光学センサの光出射部および光入射部の並び方向が前記給送テーブル上での原稿移動方向に平行し、かつ、給送テーブルの移動方向と直角に対向させてあることを特徴とする請求項１記載の原稿搬送装置。
【００１３】
（３）前記導光路が、前記光学センサからの光を前記給送テーブル側の光透過部に導くと共に原稿からの反射光を光学センサに導くことができる光路を構成する複数の反射ミラーで構成されていることを特徴とする請求項１または２記載の原稿搬送装置。
【００１４】
（４）前記導光路が、前記光学センサの光出射部および光入射部と前記給送テーブル側の光透過部との間に設けられている光ファイバーで構成されていることを特徴とする請求項１または２記載の原稿搬送装置。
【発明の効果】
【００１５】
本発明によれば、給送テーブル内には配線がなく、その近傍に導光路が設けられているので、給送テーブル内に配線を施す必要がない。これにより、給送テーブルの傾動状態に拘わらず、導光路を介した原稿検知が可能となると共に、配線の断線などの事故を防止できる。しかも、給送テーブルには配線作業ではなく、導光路のみの組み込みですむので構成の簡略化そして組み込み時の作業性を向上させることができる。
【図面の簡単な説明】
【００１６】
【図１】本発明による原稿搬送装置の全体構成を説明するための図である。
【図２】本発明による原稿搬送装置の特徴部を説明するための図である。
【図３】本発明による原稿搬送装置の特徴部を示す外観図である。
【図４】本発明による原稿搬送装置による作用を説明するための図である。
【図５】本発明による原稿搬送装置の特徴部に関する別例を説明するための図である。
【図６】図３に示した本発明での作用に対する従来構成での対比点を説明するための図である。
【発明を実施するための形態】
【００１７】
以下、図面に示す実施例により本発明を実施するための形態について説明する。
図１は、本発明による原稿搬送装置の全体構成を示す図であり、同図において原稿搬送装置１００は、原稿読み取り部材２００Ａを備えた原稿読み取り装置２００と組み合わせて用いられるようになっている。
【００１８】
原稿搬送装置１００には、原稿Ｓを載置可能な給送テーブル１が装備されており、給送テーブル１は、ヒンジ軸１Ａを支点として実線で示す位置から二点鎖線で示すうように傾動できる構成とされている。
給送テーブル１における原稿Ｓの搬送方向（矢印Ｆで示す）下流側には、テーブル面に対して進退可能に設けられて原稿Ｓの搬送方向前端縁を衝止可能なストッパ２が設けられ、その上方には、繰り出しローラ３が配置されている。
【００１９】
原稿Ｓの搬送方向においてストッパ２の前方には、原稿Ｓの一枚分離部が設けられている。一枚分離部は、原稿Ｓの搬送路を挟んで対向する給送ベルト４と分離ローラ５とで構成されており、給送ベルト４により繰り出された原稿Ｓの下面に位置する分離ローラ５が原稿Ｓを給送テーブル１側に戻す方向に回転するのを利用して重送状態にある原稿Ｓのうちで最上位のもののみを給送するようになっている。
【００２０】
一枚分離された原稿Ｓが給送される位置には、湾曲構造からなる反転搬送路６が設けられ、反転搬送路６は、給送テーブル１の下方に設けられている排紙トレイ７に達するようになっている。
反転搬送路６には、複数の搬送ローラ８，９，１０および排紙トレイ７の直前に位置する排出ローラ１１が設けられている。
【００２１】
反転搬送路６における画像読み取り部材２００Ａと対向する位置には、コンタクトガラス１２が設けられており、原稿Ｓ読み取り部２００Ａに対する原稿Ｓの露呈部を構成している。
【００２２】
排紙トレイ７における原稿Ｓ排出側には、原稿Ｓの両面読み取りを行わせる際に用いられる再搬送機構が設けられている。
再搬送機構には、反転搬送路において、一枚分離部の近傍に合流する再搬送路１３と、反転搬送路６および再搬送路１３の合流位置に設けられて原稿Ｓを反転搬送路６に導入する場合と再搬送路１３から反転搬送路６に向け導入する場合とに態位を切り換えられる搬送切り換え爪１４と、排紙トレイ７における排出ローラ１１の近傍に設けられている揺動可能な方向切り換え爪１５および再繰り出しローラ１６が備えられている。
【００２３】
再搬送機構では、原稿Ｓの両面読み取り時、読み取り後に排出トレイ７に向けて搬送された原稿Ｓを再度、反転搬送路６に向けて循環させるようになっている。
つまり、読み取り後に排出トレイ７に向け搬送された原稿Ｓは、方向切り換え爪１５４の揺動態位設定によって再繰り出しローラ１６に向けて搬送され、原稿Ｓの排出方向下流側が再繰り出しローラ１６に挟持されると、方向切り換え爪１５の揺動態位の設定により再搬送路１３に向け繰り出され、反転搬送路６との合流位置で搬送切り換え爪１４の態位設定によって再度、反転搬送路６に導入できるようになっている。
【００２４】
以上のような構成を対象として、本発明の特徴を説明すると次の通りである。
本発明の特徴は、従来、給送テーブル内に存在していた光学センサなどの電装部品への配線をなくすとともに、原稿Ｓにより作動される部材をなくしたことにある。
【００２５】
図２は、本発明のよる原稿Ｓ搬送装置の特徴を説明するための図である。
同図において給送テーブル１の内部には、導光路５０が設けられ、原稿Ｓ搬送装置１００の本体不動部側には、光学センサ５１が設けられている。
【００２６】
導光路５０は、光学センサ５１の光出射部５１Ａおよび光入射部５１Ｂに連続する光路が設定できるように配置された複数の反射ミラー５２Ａ〜５２Ｄによって構成されている。
給送テーブル１における導光路５０に対向する面には、導光路５０からの光を透過させる光透過部（図示されず）が設けられている。なお、光透過部を設ける代わりに給送トレイ１の原稿Ｓ載置面を透明体とするようにしてもよい。
また、導光路５０に用いられる反射ミラーの反射面は、給送トレイ１の傾動量に拘わらず、光学センサに５１に対して光路を確保できるサイズとされている。
【００２７】
一方、光学センサ５１は、図３に示すように、原稿Ｓ搬送装置１００の本体不動部、いわゆる筐体の表面から露出しており、光出射部５１Ａ、光入射部５１Ｂが原稿Ｓの搬送方向（図中、矢印で示す）に沿って（平行して）、かつ、給送テーブル１の傾動方向（図１において矢印Ｇ出示す方向）と直角な方向に対向する状態で並置されている。なお、図２において二点鎖線で示す矢印は、給送テーブル１の移動方向を示している。  
【００２８】
本実施例は以上のような構成であるから、その作用を図４により説明すると次の通りである。
給送テーブル１の内部には、導光路５０が配置されているだけで光学センサ５２は存在していない。
【００２９】
給送テーブル１が実線で示す位置から二点鎖線で示す位置まで傾動した場合には、給送テーブル１内の導光路５０も給送テーブル１と共に変位するが、導光路５０に設けられている反射ミラー５２による光学センサ５１への光路が確保されているので、光学センサ５１により原稿Ｓ検知が可能となる。
【００３０】
これにより、図６に示す従来構成において生じていた、光学センサ（便宜上、符号５１’で示す）給送テーブル１内での配線Ｌの組み付け作業が不要となると共に、原稿Ｓにより作動させる部材、いわゆる、アクチュエータの類が存在しないことにより、給送テーブルの傾動量に関係なく原稿Ｓ検知が可能となる。
【００３１】
次に、本発明による原稿Ｓ搬送装置の要部変形例を図５により説明すると次の通りである。
図５において、給送テーブル１の内部には、導光路（便宜上、符号５０’で示す）として、光学センサ５１の光出射部５１Ａおよび光入射部５１Ｂと給送テーブル１側の光透過部との間に光ファイバー５３Ａ、５３Ｂが設けられている。
【００３２】
本構成においては、図２に示した場合の構成と同様に、給送テーブル１の内部には配線が存在せず、給送トレイ１の傾動に拘わらず原稿Ｓに対する検知光の光路を確保することができ、しかも、光ファイバー５３Ａ、５３Ｂの屈曲性を利用して配置位置を自由に設定することが可能となる。
【符号の説明】
【００３３】
１  給送トレイ
１Ａ  ヒンジ軸
８〜１０  搬送ローラ
５０  導光路
５１  光学センサ
５１Ａ  光出射部
５１Ｂ  光入射部
５２Ａ〜Ｄ  反射ミラー
５３Ａ、５３Ｂ  光ファイバー
１００  原稿搬送装置  
【先行技術文献】
【特許文献】
【００３４】
【特許文献１】特許第４５７４５１９号
【図１】
2012180214.tif 000003
【図２】
2012180214.tif 000004
【図３】
2012180214.tif 000005
【図４】
2012180214.tif 000006
【図５】
2012180214.tif 000007
【図６】
2012180214.tif 000008